(57)【要約】【課題】  電極駆動部の電力回収回路で，一つのスイッチを利用して，電圧の上昇および下降を実行できるプラズマ表示パネルとその駆動方法を提供する。【解決手段】  複数の第１電極Ｘおよび第２電極Ｙを含むプラズマパネル１００と，上記第１電極を駆動するための信号を出力する駆動回路と，を備え，上記駆動回路は，第１電源Ｖｓと上記第１電極との間に連結される第１スイッチＹｓと，第２電源と上記第１電極との間に連結される第２スイッチＹｇと，上記第１電極に第１端が電気的に連結されるインダクタＬと，第３電源Ｃｅｒと，第３スイッチＹｅｒと，第１ダイオードＤｒ１と，第２ダイオードＤｒ２と，第３ダイオードＤｆ１と，第４ダイオードＤｆ２と，を含む。【選択図】    図２
2006072317.tif 000002
【特許請求の範囲】
【請求項１】
複数の第１電極および第２電極を含むプラズマパネルと；
前記第１電極を駆動するための信号を出力する駆動回路と；
を備え，
前記駆動回路は，
維持期間に前記第１電極に第１電圧を印加する第１電源と前記第１電極との間に連結される第１スイッチと；
維持期間に前記第１電極に前記第１電圧より低い第２電圧を印加する第２電源と前記第１電極との間に連結される第２スイッチと；
前記第１電極に第１端が電気的に連結されたインダクタと；
前記インダクタを共振させるための電圧を印加する第３電源と；
第３スイッチと；
前記第３電源にアノードが連結され，前記第３スイッチの第１端にカソードが連結される第１ダイオードと；
前記第３スイッチの第２端にアノードが連結され，前記インダクタの第２端にカソードが連結される第２ダイオードと；
前記第３スイッチの第１端にカソードが連結され，前記インダクタの第２端にアノードが連結される第３ダイオードと；
前記第３電源にカソードが連結され，前記第３スイッチの第２端にアノードが連結される第４ダイオードと；
を含むことを特徴とする，プラズマ表示パネル。
【請求項２】
前記駆動回路は，
前記維持期間に前記第３スイッチを遮断から導通に変化させ，前記第３電源−第１ダイオード−第３スイッチ−第２ダイオード−インダクタ−第１電極の電流経路を通して発生する，前記インダクタと第１電極との間の共振を利用して，前記第１電極の電圧を前記第１電圧に上昇させることを特徴とする，請求項１に記載のプラズマ表示パネル。
【請求項３】
前記駆動回路は，
前記維持期間に前記第３スイッチを遮断から導通に変化させ，前記第１電極−インダクタ−第３ダイオード−第３スイッチ−第４ダイオード−第３電源の電流経路を通して発生する，前記インダクタと第１電極との間の共振を利用して，前記第１電極の電圧を前記第２電圧に下降させることを特徴とする，請求項１に記載のプラズマ表示パネル。
【請求項４】
前記駆動回路は，
前記第３スイッチの第１端にアノードが連結され，前記第１電源にカソードが連結される第５ダイオードと；
前記第３スイッチの第２端にカソードが連結され，前記第２電源にアノードが連結される第６ダイオードと；
を更に含むことを特徴とする，請求項１に記載のプラズマ表示パネル。
【請求項５】
共振経路を形成するスイッチとインダクタとを含む駆動回路を利用してパネルキャパシタの第１電極に第１電圧と第２電圧とを交互に入れ替えて印加するプラズマ表示パネルの駆動方法において：
ａ）前記スイッチを通過して形成される第１経路を通って前記パネルキャパシタとインダクタとの間に共振を発生させ，前記パネルキャパシタの第１電極の電圧を前記第１電圧になるまで充電する段階と；
ｂ）前記パネルキャパシタの第１電極の電圧を前記第１電圧に維持する段階と；
ｃ）前記スイッチを通過して前記第１経路と異なる第２経路を通って前記パネルキャパシタと前記インダクタとの間に共振を発生させ，前記パネルキャパシタの第１電極の電圧が前記第２電圧になるまで放電する段階と；
ｄ）前記パネルキャパシタの第１電極の電圧を前記第２電圧に維持する段階と；
を含むことを特徴とする，プラズマ表示パネルの駆動方法。
【請求項６】
前記駆動回路は，
共振させるための電圧を印加する電源と前記スイッチとの間に連結され，前記第３電源から前記スイッチへの電流方向を限定する第１ダイオードと；
前記スイッチと前記インダクタとの間に連結され，前記スイッチから前記インダクタへの電流方向を限定する第２ダイオードと；
を更に含むことを特徴とする，請求項５に記載のプラズマ表示パネルの駆動方法。
【請求項７】
前記第１経路は，
前記電源，第１ダイオード，スイッチ，第２ダイオードおよびインダクタから形成されることを特徴とする，請求項６に記載のプラズマ表示パネルの駆動方法。
【請求項８】
前記駆動回路は，
前記インダクタと前記スイッチとの間に連結され，前記インダクタから前記スイッチへの電流方向を限定する第３ダイオードと；
前記スイッチと前記第３電源との間に連結され，前記スイッチから前記第３電源への電流方向を限定する第４ダイオードと；
を更に含むことを特徴とする，請求項５に記載のプラズマ表示パネルの駆動方法。
【請求項９】
前記第２経路は
前記インダクタ，第３ダイオード，スイッチおよび第４ダイオードがら形成されることを特徴とする，請求項８に記載のプラズマ表示パネルの駆動方法。
【請求項１０】
前記パネルキャパシタの第１電極の代わりに，第２電極に，第１電圧と第２電圧とを交互に入れ替えて印加する，請求項５〜９のいずれかに記載のプラズマ表示パネルの駆動方法。
【発明の詳細な説明】
【技術分野】
【０００１】
本発明は，プラズマ表示パネルとその駆動方法に関する。
【背景技術】
【０００２】
プラズマ表示パネル（Ｐｌａｓｍａ  Ｄｉｓｐｌａｙ  Ｐａｎｅｌ：以下，ＰＤＰという。）は，気体放電によって生成されたプラズマを用いて，文字または映像を表示する平面表示装置である。その主要部であるプラズマパネルには，本体の大きさに応じて数十〜数百万個以上の画素（放電ピクセル）がマトリックス状に配列されている。このようなＰＤＰは，印加される駆動電圧波形の形態および放電セルの構造によって，直流型（ＤＣ型）と交流形（ＡＣ型）とに区分され，それぞれ特徴的な駆動回路を備えている。
【０００３】
交流型ＰＤＰにおいては，プラズマパネルの主要部である２枚の対向基板が存在し，その一方の基板内面に走査電極および維持電極が対になって平行に形成され，他方の基板内面にこれら電極と直交するようにアドレス電極が形成される。そして，各走査電極に対応して形成される維持電極は，その一端が互いに共通に連結されている。
【０００４】
一般に，交流型ＰＤＰの駆動方法は，時間的な動作変化で表現すると，リセット期間，アドレス期間，維持期間からなる。
【０００５】
リセット期間は，セルに対するアドレシング動作が円滑に行われるようにするため，各セルの状態を初期化させる期間であり，アドレス期間は，プラズマパネル上の点灯したいセルと点灯させないセルを区別するために，点灯したいセルにアドレス電圧を印加して壁電荷を蓄積する動作を行う期間である。維持期間は，走査電極と維持電極に維持放電パルスを交互に，つまり，交流的に印加して，アドレスされたセルに映像を表示するための放電を行う期間である。
【０００６】
これらの動作を実行する際，走査電極と維持電極との間，また，アドレス電極が形成された側と走査および維持電極が形成された側との間の放電空間等は，容量性負荷（以下，“パネルキャパシタ”とする）として作動するため，プラズマパネルには静電容量が存在するとみなされる。したがって，電極に，維持放電のための波形を印加するには，維持放電のための電力以外に，静電容量に所定の電圧を発生させるための電荷注入用無効電力が大量に必要である。よって，維持放電回路には，一般的に無効電力を回収して再使用する電力回収回路が用いられる。このような電力回収回路に関する技術として，Ｌ.Ｆ.Ｗｅｂｅｒにより提案された特許文献１および特許文献２がある。
【０００７】
従来の電力回収回路は，電力回収用電源にその一端が各々連結され，直列に連結されて共振を形成させる２つのスイッチを含んでいる。しかし，大量の共振電流を生成するため，共振用スイッチとして，複数のトランジスタを並列に連結する必要があり，このような従来の電力回収回路を使用する場合，製作コストが高くなる短所があった。
【０００８】
【特許文献１】米国特許第４，８６６，３４９号明細書
【特許文献２】米国特許第５，０８１，４００号明細書
【発明の開示】
【発明が解決しようとする課題】
【０００９】
本発明は，従来のプラズマ表示パネルが有する上記問題点に鑑みてなされたものであり，本発明の目的は，駆動素子の数が少なく（最小化）することが可能な電力回収回路を含む，新規かつ改良されたプラズマ表示パネルとその駆動方法を提供することである。
【課題を解決するための手段】
【００１０】
このような課題を解決するための本発明の一つの特徴によるプラズマ表示パネルは，複数の第１電極および第２電極を含むプラズマパネルと，上記第１電極を駆動するための信号を出力する駆動回路と，を備え，上記駆動回路は，維持期間に上記第１電極に第１電圧を印加する第１電源と上記第１電極との間に連結される第１スイッチと，維持期間に上記第１電極に上記第１電圧より低い第２電圧を印加する第２電源と上記第１電極との間に連結される第２スイッチと，上記第１電極に第１端が電気的に連結されるインダクタと，上記インダクタを共振させるための電圧を印加する第３電源と，第３スイッチと，上記第３電源にアノードが連結されて上記第３スイッチの第１端にカソードが連結される第１ダイオードと，上記第３スイッチの第２端にアノードが連結されて上記インダクタの第２端にカソードが連結される第２ダイオードと，上記第３スイッチの第１端にカソードが連結されて上記インダクタの第２端にアノードが連結される第３ダイオードと，上記第３電源にカソードが連結されて上記第３スイッチの第２端にアノードが連結される第４ダイオードと，を含む。
【００１１】
上記構成において，上記駆動回路は，上記維持期間に上記第３スイッチを遮断から導通に変化させ，上記第３電源−第１ダイオード−第３スイッチ−第２ダイオード−インダクタ−第１電極の電流経路を通して発生する上記インダクタと第１電極との間の共振を利用して，上記第１電極の電圧を上記第１電圧に上昇させるとしても良く，また，上記維持期間に上記第３スイッチを遮断から導通に変化させ，上記第１電極−インダクタ−第３ダイオード−第３スイッチ−第４ダイオード−第３電源の電流経路を通して発生する上記インダクタと第１電極との間の共振を利用して，上記第１電極の電圧を上記第２電圧に下降させるとしても良い。
【００１２】
上記駆動回路は，上記第３スイッチの第１端にアノードが連結され，上記第１電源にカソードが連結される第５ダイオードと，上記第３スイッチの第２端にカソードが連結され，上記第２電源にアノードが連結される第６ダイオードと，を更に含むとしても良い。
【００１３】
上記課題を解決するための本発明の他の特徴によるプラズマ表示パネルの駆動方法は，共振経路を提供するスイッチとインダクタとを含む駆動回路を利用してパネルキャパシタの第１電極に第１電圧と第２電圧とを交互に入れ替えて印加するプラズマ表示パネルの駆動方法において，上記スイッチを通じて形成される第１経路を通して上記パネルキャパシタとインダクタとの間に共振を発生させ，上記パネルキャパシタの第１電極の電圧を上記第１電圧になるまで充電する段階と，上記パネルキャパシタの第１電極の電圧を上記第１電圧に維持する段階と，上記スイッチを通じて上記第１経路と異なる第２経路を通して上記パネルキャパシタと上記インダクタとの間に共振を発生させ，上記パネルキャパシタの第１電極の電圧が上記第２電圧になるまで放電する段階と，上記パネルキャパシタの第１電極の電圧を上記第２電圧に維持する段階と，を含む。
【００１４】
上記パネルキャパシタの第１電極の代わりに，第２電極に，第１電圧と第２電圧とを交互に入れ替えて印加するとしても良い。
【発明の効果】
【００１５】
以上説明したように本発明によれば，プラズマ表示パネルの電力回収回路において，一つのスイッチだけを利用し，電圧の上昇および下降を実行できる。したがって，従来必要であった残りのスイッチを除去することが可能になり，駆動回路を簡単に構成できプラズマ表示パネルの製作費用を節減することができる。
【発明を実施するための最良の形態】
【００１６】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００１７】
なお，本発明は，多様な形態で実施することが可能であり，ここで説明する実施形態に限定されない。
【００１８】
本発明の実施形態によるプラズマ表示パネルおよびその駆動方法について，図面を参照して詳細に説明する。
【００１９】
まず，本発明の実施形態によるプラズマ表示パネルの概略的な構造について，図１を参照して詳しく説明する。
【００２０】
図１は本発明の実施形態によるプラズマ表示パネルを示す図面である。
【００２１】
図１に示すように，本発明の実施形態によるプラズマ表示パネルは，プラズマパネル１００，アドレス電極駆動部２００，Ｙ電極駆動部３２０，Ｘ電極駆動部３４０および制御部４００を含んで構成される。
【００２２】
プラズマパネル１００は，図中列方向に伸びている複数のアドレス電極（Ａ１〜Ａｍ），行方向に互いに対を成しながら伸びている複数の第１電極（Ｙ１〜Ｙｎ：以下，Ｙ電極ともいう）および第２電極（Ｘ１〜Ｘｎ：以下，Ｘ電極ともいう）を備えている。アドレス電極駆動部２００は，制御部４００からアドレス駆動制御信号（ＳＡ）を受信して，点灯しようとする放電セルを選択するためのアドレス電圧を各アドレス電極に印加する。
【００２３】
Ｙ電極駆動部３２０およびＸ電極駆動部３４０は，それぞれ制御部４００から出力されたＹ電極駆動信号（ＳＹ）とＸ電極駆動信号（ＳＸ）を受信し，Ｙ電極とＸ電極に駆動電圧を印加する。
【００２４】
制御部４００は，外部から映像信号を受信してアドレス駆動制御信号（ＳＡ），Ｙ電極駆動信号（ＳＹ）およびＸ電極駆動信号（ＳＸ）を生成および出力し，それぞれアドレス電極駆動部２００，Ｙ電極駆動部３２０およびＸ電極駆動部３４０に送信する。
【００２５】
次に，Ｙ電極駆動部３２０の構造について，図２を参照して詳しく説明する。
【００２６】
図２は本発明の実施形態によるＹ電極駆動部３２０の維持駆動回路の構成を示す回路図である。
【００２７】
本発明の実施形態による維持駆動回路は，維持期間に維持放電するための第１電源としての電圧（Ｖｓ）をＹ電極に印加するため，電源（Ｖｓ）とパネルキャパシタＣｐの間に連結され，Ｖｓ電圧をパネルキャパシタＣｐの一端，つまりＹ電極，に印加する，第１スイッチとしてのスイッチ（Ｙｓ）と，第２電源としての接地電圧を提供する接地端子に連結され，接地電圧をＹ電極に印加する，第２スイッチとしてのスイッチ（Ｙｇ）とを有している。
【００２８】
そして，上記維持駆動回路は，維持期間に電力を回収するために，電源（Ｖｓ）と接地端子との間に連結される，第３スイッチとしてのスイッチ（Ｙｅｒ），電力回収用キャパシタ（Ｃｅｒ）およびインダクタ（Ｌ）を含む。ここで，電力回収用キャパシタ（Ｃｅｒ）は第３電源として機能するとしても良い。
【００２９】
キャパシタ（Ｃｅｒ）の一端とスイッチ（Ｙｅｒ）の一端（第１端）との間は第１ダイオードとしてのダイオード（Ｄｒ１）で連結され，キャパシタ（Ｃｅｒ）の一端とスイッチ（Ｙｅｒ）の他端（第２端）との間は第４ダイオードとしてのダイオード（Ｄｆ２）で連結される。また，スイッチ（Ｙｅｒ）の一端とインダクタの一端との間は第３ダイオードとしてのダイオード（Ｄｆ１）で連結され，スイッチ（Ｙｅｒ）の他端とインダクタの一端との間は第２ダイオードとしてのダイオード（Ｄｒ２）で連結される。ここで，ダイオード（Ｄｒ１）とダイオード（Ｄｆ１）のカソードはスイッチ（Ｙｅｒ）の一端であるドレーンに連結され，ダイオード（Ｄｆ２）とダイオード（Ｄｒ２）のアノードはスイッチ（Ｙｅｒ）の他端であるソースに連結される。
【００３０】
本発明の実施形態では，スイッチ（Ｙｓ，Ｙｇ，Ｙｅｒ）としてＮＭＯＳトランジスタを使用したが，他のタイプのスイッチを使用することもできる。
【００３１】
なお，上記維持駆動回路は，電源（Ｖｓ）とスイッチ（Ｙｅｒ）との間に連結され，オーバーシュートなどによってスイッチ（Ｙｅｒ）のドレーン電圧が電圧（Ｖｓ）以上に上がらないように固定するためのダイオード（Ｄｓ）と，スイッチ（Ｙｅｒ）と接地端子との間に連結され，アンダーシュートなどによってスイッチ（Ｙｅｒ）のソース電圧が零ボルト以下に下がらないように固定するためのダイオード（Ｄｇ）とを更に備えることができる。このようなクランプ用ダイオードの閾値電圧は，実質的に無視できる微小値である。
【００３２】
次に，図３および図４を参照して，本発明の実施形態による維持駆動回路の維持期間での時間的動作変化について説明する。ここで，動作変化は４つのモード（Ｍ１〜Ｍ４）で一巡し，このようなモードの変化はスイッチの操作によって行われる。また，ここで共振と称する現象は，連続的な発振ではなく，スイッチ（Ｙｅｒ）が遮断から導通に変化した時にインダクタ（Ｌ）とパネルキャパシタ（Ｃｐ）との間で生じる電圧および電流の変化現象を示している。
【００３３】
また，パネルキャパシタ（Ｃｐ）は，第１および第２電極としての全Ｘ電極と全Ｙ電極との間のキャパシタンス成分を等価的に表すことが普通であり，ここでは，パネルキャパシタ（Ｃｐ）のＸ電極が接地端子に連結されると表示したが，実際のところＸ電極はＸ電極駆動部３４０に連結される。また，Ｘ電極駆動部３４０は，Ｙ電極駆動部３２０と類似して動作するので，本発明の実施形態では説明を簡単にするため，Ｙ電極駆動部３２０の動作だけを説明し，Ｘ電極駆動部３４０は省略する。なお，上記の全電極間キャパシタンスを一括して駆動するのではなく，複数の電極群に分割して駆動してもよい。
【００３４】
図３は，本発明の実施形態による維持駆動回路での，Ｙ電極電圧波形，インダクタの電流波形，およびスイッチのタイミングを示すグラフであり，図４Ａ〜図４Ｄは本発明の実施形態による維持駆動回路での各モードの電流経路を示す説明図である。
【００３５】
本発明の実施形態では，モード１（Ｍ１）の初期値（モード４の終了状態）として，キャパシタ（Ｃｅｒ）の電圧が（Ｖｓ/２），インダクタの電流が零アンペアであると想定する。
【００３６】
＜１．モード１（Ｍ１）−図４Ａ参照＞
モード１の区間ではスイッチ（Ｙｅｒ）が遮断から導通に変化する。以下，図４Ａに示すようにキャパシタ（Ｃｅｒ）−ダイオード（Ｄｒ１）−スイッチ（Ｙｅｒ）−ダイオード（Ｄｒ２）−インダクタ（Ｌ）−パネルキャパシタ（Ｃｐ）に沿って電流経路が形成され，インダクタ（Ｌ）の一端であるノードＡの電圧は電圧（Ｖｓ/２）になり，インダクタ（Ｌ）とパネルキャパシタ（Ｃｐ）との間に共振が発生する。この共振によって，図３の最上部のグラフのように，パネルキャパシタ（Ｃｐ）のＹ電極の電圧（Ｖｙ）は零ボルトから徐々に増加する。つまり，パネルキャパシタ（Ｃｐ）が充電される。
【００３７】
また，図３中央部に示すように，モード1区間でインダクタ（Ｌ）に流れる電流（ＩＬ）は正弦波のように増加し，さらに減少する。
【００３８】
＜２．モード２（Ｍ２）−図４Ｂ参照＞
モード２の区間では，Ｙ電極の電圧（Ｖｙ）が所定電圧まで増加し，インダクタ（Ｌ）に流れる電流（ＩＬ）が零アンペア以下まで減少した後，スイッチ（Ｙｅｒ）が導通から遮断に変化し，スイッチ（Ｙｓ）が遮断から導通に変化する。したがって，スイッチ（Ｙｓ）−パネルキャパシタ（Ｃｐ）の電流経路を通してパネルキャパシタ（Ｃｐ）のＹ電極の電圧（Ｖｙ）は電圧（Ｖｓ）に維持される。
【００３９】
＜３．モード３（Ｍ３）−図４Ｃ参照＞
モード３の区間では，スイッチ（Ｙｓ）が導通から遮断に変化し，スイッチ（Ｙｅｒ）が遮断から導通に変化する。以下，図４Ｃに示すように，パネルキャパシタ（Ｃｐ）−インダクタ（Ｌ）−ダイオード（Ｄｆ１）−スイッチ（Ｙｅｒ）−ダイオード（Ｄｆ２）−キャパシタ（Ｃｅｒ）に沿って電流経路が形成され，インダクタ（Ｌ）とパネルキャパシタ（Ｃｐ）との間に共振が発生する。この共振によって，パネルキャパシタ（Ｃｐ）のＹ電極の電圧（Ｖｙ）は零ボルトまで徐々に減少する。つまり，パネルキャパシタ（Ｃｐ）が放電される。
【００４０】
また，図３に示すように，モード３区間でインダクタ（Ｌ）に流れる電流（ＩＬ）は正弦波のように減少してから増加する。
【００４１】
＜４．モード４（Ｍ４）−図４Ｄ参照＞
モード４区間では，Ｙ電極の電圧（Ｖｙ）が所定電圧まで減少し，インダクタ（Ｌ）に流れる電流（ＩＬ）が零アンペア以上まで増加した後，スイッチ（Ｙｅｒ）が導通から遮断に変化し，スイッチ（Ｙｇ）が遮断から導通に変化する。したがって，パネルキャパシタ（Ｃｐ）のＹ電極の電圧（Ｖｙ）は零ボルトに維持される。
【００４２】
モード４が終了した後は，Ｘ電極駆動部でモード１〜４の動作が繰り返される。
【００４３】
このように，本発明の実施形態による電力回収回路は，一つのスイッチだけで電力回収動作を行えるので，スイッチの数を減らすことができる。
【００４４】
一方，モード１以降にインダクタ（Ｌｙ）に残っている電流は，スイッチ（Ｙｓ）−インダクタ（Ｌ）−ダイオード（Ｄｆ１）−クランピングダイオード（Ｄｓ）−電源（Ｖｓ）の電流経路を通して回収され，モード３以降にインダクタ（Ｌ）に残っている電流は，電源（ＧＮＤ）−クランピングダイオード（Ｄｇ）−ダイオード（Ｄｒ２）−インダクタ（Ｌ）−スイッチ（Ｙｇ）の電流経路を通して回収される。したがって，インダクタ（Ｌ）とダイオードおよびスイッチにある寄生キャパシタの共振によって，スイッチ（Ｙｅｒ）のドレーン電圧が電圧（Ｖｓ）以上に高くなったり，零ボルト以下に低くなったりすることを防ぐことができる。
【００４５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４６】
本発明は，プラズマ表示パネルとその駆動方法に適用可能である。
【図面の簡単な説明】
【００４７】
【図１】本発明の実施形態によるプラズマ表示パネルの概略図である。
【図２】本発明の実施形態によるＹ電極駆動部の回路図である。
【図３】本発明の実施形態による維持駆動回路におけるＹ電極の電圧波形，インダクタの電流波形およびスイッチのタイミングを示すグラフである。
【図４Ａ】本発明の実施形態による維持駆動回路の各モードでの電流経路を示す説明図である。
【図４Ｂ】本発明の実施形態による維持駆動回路の各モードでの電流経路を示す説明図である。
【図４Ｃ】本発明の実施形態による維持駆動回路の各モードでの電流経路を示す説明図である。
【図４Ｄ】本発明の実施形態による維持駆動回路の各モードでの電流経路を示す説明図である。
【符号の説明】
【００４８】
１００  プラズマパネル
２００  アドレス電極駆動部
３２０  Ｙ電極駆動部
３４０  Ｘ電極駆動部
４００  制御部
【図１】
2006072317.tif 000003
【図２】
2006072317.tif 000004
【図３】
2006072317.tif 000005
【図４Ａ】
2006072317.tif 000006
【図４Ｂ】
2006072317.tif 000007
【図４Ｃ】
2006072317.tif 000008
【図４Ｄ】
2006072317.tif 000009